(57)【要約】【課題】  現実のショッピングでもオンラインでのようなウィッシュリスト機能を実現する。【解決手段】  ＲＦＩＤチップ５に対して商品情報を記憶させておき、これを携帯電話機１に備えられるリーダー部２０にて読み取ると共に、読み取られた商品情報をリスト情報として記憶する。これによってリアルショップ（実店舗）にて販売される商品についてもウィッシュリストを簡易に作成できる。また、ウィッシュリスト管理サーバ３は、携帯電話機１にて作成されたウィッシュリストの内容に基づいて自信が記憶するウィッシュリストの情報を更新し、さらにパーソナルコンピュータ２はウィッシュリスト管理サーバ３に記憶されるウィッシュリストに基づいて自信が記憶しているウィッシュリストの内容を更新する。これによって例えば同一ユーザが管理するとされる携帯電話機１とパーソナルコンピュータ２との間でウィッシュリストを共有化できる。【選択図】図１
2005327077.tif 000002
【特許請求の範囲】
【請求項１】
商品に関する商品情報が記憶される記憶媒体と、各々がネットワークを介して接続された携帯端末装置と情報処理装置とサーバ装置とを少なくとも含んで構成された買い物支援システムであって、
上記携帯端末装置は、
端末側記憶手段と、
上記記憶媒体から無線により上記商品情報の読み取りを行う情報読取手段と、
上記情報読取手段により読み取られた上記商品情報をリスト情報として上記端末側記憶手段に対して記録する記録手段とを備え、
上記サーバ装置は、
サーバ側記憶手段と、
上記ネットワークを介して上記携帯端末装置と接続されることに応じ、上記端末側記憶手段に記憶される上記リスト情報に基づいて、上記サーバ側記憶手段に対して記憶される上記商品情報についてのリスト情報の内容を更新するサーバ側情報更新手段とを備え、
上記情報処理装置は、
処理装置側記憶手段と、
上記ネットワークを介して上記サーバ装置と接続されることに応じ、上記サーバ側記憶手段に記憶される上記リスト情報に基づいて、上記処理装置側記憶手段に対して記憶される上記商品情報についてのリスト情報の内容を更新する処理装置側情報更新手段とを備える、
ことを特徴とする買い物支援システム。
【請求項２】
上記商品に関する詳細情報が上記ネットワークを介して接続された所定のサーバ装置に格納され、上記商品情報には、上記詳細情報へのリンク情報が含まれている、
ことを特徴とする請求項１に記載の買い物支援システム。
【請求項３】
上記詳細情報は、上記商品を販売する実店舗が管理するネットワーク上の仮想店舗内の商品掲載ページであり、上記リンク情報は、この商品掲載ページの所在を示すＵＲＩ情報とされる、
ことを特徴とする請求項２に記載の買い物支援システム。
【請求項４】
上記記憶媒体はＲＦＩＤチップとされることを特徴とする請求項１に記載の買い物支援システム。
【請求項５】
上記記憶媒体にはバーコードにより情報が記憶されることを特徴とする請求項１に記載の買い物支援システム。
【請求項６】
商品に関する商品情報が記憶される記憶媒体と、各々がネットワークを介して接続された携帯端末装置と情報処理装置とサーバ装置とを少なくとも含んで構成された買い物支援システムにおける買い物支援方法として、
上記携帯端末装置は、
上記記憶媒体から無線により上記商品情報の読み取りを行う情報読取手順と、
上記情報読取手順により読み取った上記商品情報を、当該端末装置が備える端末側記憶手段に対してリスト情報として記録する記録手順とを実行し、
上記サーバ装置は、
上記ネットワークを介して上記携帯端末装置と接続されることに応じ、上記端末側記憶手段に記憶される上記リスト情報に基づいて、当該サーバ装置が備えるサーバ側記憶手段に対して記憶される上記商品情報についてのリスト情報の内容を更新するサーバ側情報更新手順を実行し、
上記情報処理装置は、
上記ネットワークを介して上記サーバ装置と接続されることに応じ、上記サーバ側記憶手段に記憶される上記リスト情報に基づいて、当該情報処理装置が備える処理装置側記憶手段に対して記憶される上記商品情報についてのリスト情報の内容を更新する処理装置側情報更新手順を実行する、
ことを特徴とする買い物支援方法。
【請求項７】
記憶手段と、
商品に関する商品情報が記憶される記憶媒体から無線により上記商品情報の読み取りを行う情報読取手段と、
上記情報読取手段により読み取られた上記商品情報を、上記記憶手段に対してリスト情報として記録する記録手段と、
を備えることを特徴とする携帯端末装置。
【発明の詳細な説明】
【技術分野】
【０００１】
本発明は、商品情報が記憶された記憶媒体を用いた買い物支援システムと買い物支援方法、及び携帯端末装置に関する。
【背景技術】
【０００２】
例えばインターネット等のネットワーク上に構築された仮想店舗（いわゆるネットショップ、ＷＥＢショップ）では、現実のショップでの買い物かごを真似た機能として、ショッピングカート機能を採用していることがある。つまり、ホームページ上に掲載された商品情報群から或る商品情報が選択指定されることに応じ、その商品情報が示す商品が仮想のカート内に入れられたものと扱うようにして、該商品情報を購入を決定した商品の情報としてリストアップする。このような機能を利用することで、ユーザは購入を決定した商品についてひとまず選択指定していき、後にまとめてこれらの決済を行うといったことが可能となる。これによって現実の例えばスーパーマーケット等でのショッピングカートを用いた買い物方法が再現されるものである。
【０００３】
また、このようなネットワーク上でのオンラインショッピングに特有の機能として、いわゆるウィッシュリスト（欲しいものリスト）と呼ばれる機能も存在する。
このウィッシュリスト機能は、例えばユーザが興味を持ったりいずれ購入を希望する等の動機から、ユーザが「欲しい」として選択指定した商品をリスト化して記憶しておくものである。
このようなウィッシュリスト機能の実現にあたっては、ＷＥＢサーバ側において、例えば商品情報の掲載ページ上にてその商品情報ごとに設けられた所定のアイコンがクリックされること等に応じて、その商品情報を上記のような「欲しい」商品の情報として自動的にリストアップしてこれを保持しておく。そして、このように保持されたウィッシュリストの情報を、例えば所定のホームページ上に設けられた「ウィッシュリストを表示する」等の所定のアイコンのクリック操作に応じる等して表示することで、その内容をユーザに提示する。
このようなウィッシュリスト機能を利用することで、ユーザはクリック操作のみで簡易に「欲しい」商品についての備忘録を作成することができる。
また、ウィッシュリストとしては、単に商品名の情報のみが列挙されるだけでなく、例えば各商品名の表示にその商品情報の掲載ページへのリンクがはられているのが一般的であり、ユーザはこの商品名の表示に対するクリック操作を行うことで該当する商品掲載ページにアクセスすることができる。すなわち、ウィッシュリストは単なる備忘録としてだけでなく、オンラインショッピングを簡便化するための機能としてはたらくものでもある。
【０００４】
なお、関連する技術については以下の特許文献が挙げられる。
【特許文献１】特開２００３−３３１０２４号公報
【特許文献２】特開２００３−３２３５７０号公報
【発明の開示】
【発明が解決しようとする課題】
【０００５】
ところで、上記したようなショッピングカートの概念に基づくショッピングが現実とネット上とで実現されているように、ウィッシュリスト機能としても、ネット上のみでなく現実のショッピングでも利用できれば、現実のショッピングの簡便化が図られて好ましい。
しかしながら、このように現実のショッピングについてウィッシュリスト機能を実現するとした場合、現状においては、ユーザが手書きにより欲しい商品についてメモをとったり、或いはパーソナルコンピュータ等所要の電子機器に対して文字入力等を行って手動でリスト情報を作成する等の必要がある。つまり現状においては、ネット上でのように簡易にウィッシュリストの作成を行うことが困難となっている。
【０００６】
なお、上記した特許文献１には、先に説明したようなネット上でのショッピングカート機能を実際の商品について適用した技術が記載されている。
また、上記した特許文献２には、現実のショッピングにおいて、携帯端末装置によって商品と対応づけられた情報に基づき商品情報を取得してこれをユーザに提示する技術について記載されているが、この発明では商品情報をリストとして蓄積することができないので、備忘録としてのウィッシュリストの機能は実現され得ない。
【課題を解決するための手段】
【０００７】
そこで、本発明では以上のような問題点に鑑み、買い物支援システムとして以下のように構成することとした。
つまり、商品に関する商品情報が記憶される記憶媒体と、各々がネットワークを介して接続された携帯端末装置と情報処理装置とサーバ装置とを少なくとも含んで構成された買い物支援システムであって、上記携帯端末装置は、端末側記憶手段と、上記記憶媒体から無線により上記商品情報の読み取りを行う情報読取手段とを備える。
また、上記情報読取手段により読み取られた上記商品情報をリスト情報として上記端末側記憶手段に対して記録する記録手段を備える。
また、上記サーバ装置としては、サーバ側記憶手段と、上記ネットワークを介して上記携帯端末装置と接続されることに応じ、上記端末側記憶手段に記憶される上記リスト情報に基づいて、上記サーバ側記憶手段に対して記憶される上記商品情報についてのリスト情報の内容を更新するサーバ側情報更新手段とを備える。
さらに、上記情報処理装置としては、処理装置側記憶手段と、上記ネットワークを介して上記サーバ装置と接続されることに応じ、上記サーバ側記憶手段に記憶される上記リスト情報に基づいて、上記処理装置側記憶手段に対して記憶される上記商品情報についてのリスト情報の内容を更新する処理装置側情報更新手段を備えるようにしたものである。
【０００８】
また、本発明では買い物支援方法として以下のようにすることとした。
すなわち、商品に関する商品情報が記憶される記憶媒体と、各々がネットワークを介して接続された携帯端末装置と情報処理装置とサーバ装置とを少なくとも含んで構成された買い物支援システムにおける買い物支援方法として、先ず、上記携帯端末装置では、上記記憶媒体から無線により上記商品情報の読み取りを行う情報読取手順を実行する。
そして、上記情報読取手順により読み取った上記商品情報を、当該端末装置が備える端末側記憶手段に対してリスト情報として記録する記録手順を実行する。
また、上記サーバ装置では、上記ネットワークを介して上記携帯端末装置と接続されることに応じ、上記端末側記憶手段に記憶される上記リスト情報に基づいて、当該サーバ装置が備えるサーバ側記憶手段に対して記憶される上記商品情報についてのリスト情報の内容を更新するサーバ側情報更新手順を実行する。
さらに、上記情報処理装置では、上記ネットワークを介して上記サーバ装置と接続されることに応じ、上記サーバ側記憶手段に記憶される上記リスト情報に基づいて、当該情報処理装置が備える処理装置側記憶手段に対して記憶される上記商品情報についてのリスト情報の内容を更新する処理装置側情報更新手順を実行するものとした。
【０００９】
さらに、本発明では携帯端末装置として以下のように構成することとした。
つまり、記憶手段と、商品に関する商品情報が記憶される記憶媒体から無線により上記商品情報の読み取りを行う情報読取手段と、上記情報読取手段により読み取られた上記商品情報を、上記記憶手段に対してリスト情報として記録する記録手段とを備えるものである。
【００１０】
上記のようにして、所要の記憶媒体に対して商品情報を記憶させておいた上で、携帯端末装置にてこの記憶媒体に記憶された商品情報を読み取ってこれをリスト情報として記録する構成としたことで、例えばユーザが手動で商品情報を入力する手間なく、商品情報についてのリスト情報を作成することができる。つまりこれにより、実店舗で販売される現実の商品についても、簡易な操作によりウィッシュリストを作成することができる。
その上で、上記本発明によれば、携帯端末装置とネットワークを介して接続されたサーバ装置では、この携帯端末装置にて作成されたリスト情報の内容に基づいて自らが記憶するリスト情報の内容を更新するようにされる。さらに、情報処理装置では、このように更新されたサーバ装置側のリスト情報の内容に基づいて、自らが記憶するリスト情報の内容を更新するようにされる。これによって結果的に携帯端末装置と情報処理装置との間で、リスト情報の内容が共有化される。
【発明の効果】
【００１１】
このようにして本発明によれば、実店舗で販売される現実の商品についても、いわゆるウィッシュリストの作成をユーザによる商品情報の手動入力の手間なしに、簡易な操作のみで行うことができる。
その上で本発明によれば、携帯端末装置と情報処理装置との間でウィッシュリストの内容を自動的に共有化することができる。このように携帯端末装置と情報処理装置との間でウィッシュリストの内容が共有化されれば、例えば携帯端末装置にて作成したウィッシュリストについて、商品の詳細情報を情報処理装置の比較的大きな画面を介して参照するといった場合にも、ウィッシュリストの内容を情報処理装置に手動で移すといった手間を省略することができる。
【発明を実施するための最良の形態】
【００１２】
以下、発明を実施するための最良の形態（以下実施の形態とする）について説明していく。なお、説明は以下の順序で行うものとする。
１．買い物支援システムの概要
２．携帯端末装置
３．情報処理装置
４．サーバ装置
５．動作概要
６．処理動作
７．実施の形態のまとめ・変形例
【００１３】
１．買い物支援システムの概要
図１は、本発明における実施の形態としての買い物支援システム１００の概要について示す図である。
実施の形態の買い物支援システム１００としては、携帯端末装置としての携帯電話機１と、情報処理装置としてのパーソナルコンピュータ２と、サーバ装置としてのウィッシュリスト管理サーバ３と、例えばインターネットとされるネットワーク４と、記憶媒体としてのＲＦＩＤ（Radio Frequency IDentification）チップ５を少なくとも含んで構成される。
先ず、この場合において、図示するリアルショップＡ、リアルショップＢは、現実に存在する店舗（実店舗）であり、それぞれＡ商品、Ｂ商品、Ｃ商品・・・と、Ｄ商品、Ｅ商品、Ｆ商品・・・とを販売している。
また、この場合、リアルショップＡは、ＷＥＢショップＡを運営している。このＷＥＢショップＡはネットワーク４上に構築された仮装店舗であり、この場合は少なくともリアルショップＡにて販売される各商品（Ａ商品、Ｂ商品、Ｃ商品・・・）に対応する商品情報（Ａ商品情報、Ｂ商品情報、Ｃ商品情報・・・）が掲載されるホームページと、さらにこの場合は、いわゆるオンラインショッピングを可能とするための購入フォームとして、クレジットカード番号の情報や商品送付先の情報について入力するための入力フォームを掲載するホームページも含んで構成される。
このようなＷＥＢショップＡを構成する各種のホームページデータは、ネットワーク４に接続された所要のＷＥＢサーバとしての、図示するサーバ装置６に格納されるデータとしてみることができる。
【００１４】
そして、実施の形態の買い物支援システム１００において、上記したＲＦＩＤチップ５は、実店舗としてのリアルショップＡ、リアルショップＢにおいて陳列された個々の商品に対応づけられるようにして配置される。
周知のようにＲＦＩＤチップは、例えば１２８ビット程度のデータ記憶容量を有し、マイクロ波（例えば２．４ＧＨｚ帯）等の照射に応じて発生する自己整流を電力源として記憶データを無線により外部に送出することが可能されている。
【００１５】
この場合の各ＲＦＩＤチップ５に対しては、各商品についての商品情報が記憶される。
具体的に、この場合において各ＲＦＩＤチップ５に対して記憶される商品情報としては、例えば図５に示すようにして、商品名、商品を販売するショップ名、商品の価格、ＵＲＩ（Uniform Resource Identifier(ＵＲＬ：Uniform Resource Locator)）、連絡先の情報が挙げられる。
これらの項目において、ＵＲＩとしては、商品の詳細情報が掲載されたホームページのＵＲＩの情報が記憶されればよい。例えば、先のリアルショップＡのように実店舗がＷＥＢショップを運営する場合などには、例えばそのＷＥＢショップ内の商品掲載ページのＵＲＩとされればよい。或いは、商品の詳細情報を掲載したメーカホームページやその商品掲載ページのＵＲＩとしてもよい。
また、連絡先の項目としては、商品を販売するショップの連絡先の情報として、例えば電話番号の情報等が記憶されればよい。
なお、これらの項目はあくまでも一例であり、項目の個数や種類を限定するものではない。例えば、ＲＦＩＤチップ５が有する記憶容量によっては、商品に関する画像データ等を記憶させるものとしてもよい。
【００１６】
図１において、各ＲＦＩＤチップ５は、各リアルショップにて陳列される各商品に対応した商品情報を格納するものとなる。このことから、この場合は例えば各商品の値札や、各商品自体に付着されるようにして配置されるべきものとなる。或いは、値札や商品自体に埋め込まれるようにして配置されてもよい。
また、このように各商品に近接させるようにして配置する以外にも、例えば各商品対応に領域分けしたボードを用意し、これらの領域に対してそれぞれ対応するＲＦＩＤチップ５を配置したものを、商品陳列位置とは離れたところに別途配置しておく等の手法が採られてもよい。
つまりは、これらＲＦＩＤチップ５は、各商品対応にその情報が読み出されるようにし配置されていれば、任意の位置に配置されてよいものである。
ここでは、各ＲＦＩＤチップ５が商品自体に付着されるようにして配置される場合を例に以下の説明を続ける。
【００１７】
なお、ＲＦＩＤシステムにおける情報伝送方式としては、マイクロ波方式、電磁誘導方式、電磁結合方式、静電結合方式、光方式等が広く知られているが、この場合としてはいずれの方式が採用されてもよく、また、複数の方式に対応させるようにしてもよい。さらに、この場合のＲＦＩＤチップ５に対しては、記憶データの読出だけでなく書込が可能とされて、商品情報の追加や書き換えが可能とされているものとする。
【００１８】
さらには、ＲＦＩＤシステムとしては、チップに対してリーダ／ライタが読み書き動作可能な距離によって、密着型（〜２mm）、近接型（〜１０cm）、近傍型（〜７０cm）、遠隔型（７０cm〜）に分類されるものとなるが、実施の形態では密着型と近接型を想定している。これらを採用した場合、ユーザは読み取り時に能動的にチップに対してリーダを近づける必要があるが、このように能動的に近づける行為を以て商品を選択する操作と見なすことができる。
【００１９】
また、図１において、携帯電話機１は、ネットワーク４を介した外部機器との通信機能を備える。図示は省略したが、このような携帯電話機１によるネットワーク４を介した外部機器との通信は基地局を介して行われる。
また、この場合の携帯電話機１としては、後述もするように上記したＲＦＩＤチップ５についてのリーダー部を備え、リアルショップにて販売される各商品に対応する商品情報の読み取りが可能とされている。
【００２０】
パーソナルコンピュータ２としても、ネットワーク４を介した外部機器との通信機能を備える。また、ウィッシュリスト管理サーバ３としても、ネットワーク４を介した外部機器との通信機能を備えており、これによって携帯電話機１、パーソナルコンピュータ２、ウィッシュリスト管理サーバ３の間では、ネットワーク４を介した相互のデータ通信が可能とされている。
この場合において、パーソナルコンピュータ２としては、携帯電話機１のユーザの例えば自宅などのユーザが管理できる場所に設置されているものとする。また、ウィッシュリスト管理サーバ３は、当該買い物支援システム１００としてのサービスを提供する業者側が管理するものとする。
【００２１】
２．携帯端末装置
図２は、実施の形態の携帯端末装置としての、携帯電話機１の内部構成例を示すブロック図である。
上述もしたように実施の形態の携帯電話機１は、ネットワーク４を介した外部機器とのデータ通信機能を有するものとされる。そして、このような携帯電話機１として、実施の形態ではＪａｖａ（登録商標）対応の携帯電話機１を想定している。すなわち、ネットワーク４に接続された所定のサーバ装置（例えば図１のウィッシュリスト管理サーバ３）からＪａｖａアプリケーションをダウンロードし、このアプリケーションを動作させることが可能に構成されているものである。
【００２２】
図２において、先ず図示する通信部１１は、通信電波の送受信を行い、アンテナ２４により受信された電波の復調、及びアンテナ２４を介して送信する各種信号の変調を行う。
例えばアンテナ２４により受信された電波が電子メールデータやインターネット通信データなどのいわゆるデータ通信の情報であれば、この通信部１１は、このような通信データを復調し、システムコントローラ１５の制御によって、この復調した通信データを表示部１８に対して表示させることが可能とされている。
【００２３】
音声処理部１２は、システムコントローラ１５の制御に基づいて入力される音声信号について所定のエンコード／デコード処理を行う。
例えば、通話時において通信部１１により受信・復調されたベースバンド信号は、この音声処理部１２において音声信号に復調され、システムコントローラ１５の制御により、これが例えば通話用のスピーカ１３から出力されるようになる。
また、例えば通話時においてマイクロフォン１４により収音されたユーザの音声も、この音声処理部１２においてエンコード処理され、これが通信部１１で変調されてアンテナ２４より送信出力される。
【００２４】
リンガー１６は、システムコントローラ１５の制御に基づき、例えば操作時における電子音や、着信時の呼び出し音等をスピーカ１６ａに出力させる。
また、この場合のリンガー１６は、いわゆるサイレントモードが設定されている状態等に対応して、システムコントローラ１５からの制御に基づいて図示するバイブレータ１７を駆動するようにされる。
【００２５】
システムコントローラ１５は、携帯電話機１による各種動作が行われるように各種制御処理を実行する。このシステムコントローラ１５には、図示するようにＲＯＭ２１、及びＲＡＭ２２が備えられる。
ＲＯＭ２１には、システムコントローラ１５が実行すべきプログラムや各種の定数等が記憶される。また、ＲＡＭ２２には、システムコントローラ１５のが処理を実行する上で必要となる各種データが一時的に保持される。
【００２６】
また、システムコントローラ１５に対しては、キー操作部１９が接続される。キー操作部１９は、図示しない所定複数の操作キーから成るものとされ、これら操作キーに対する操作に応じた操作情報信号がシステムコントローラ１５に対して供給される。システムコントローラ１５は、この操作情報信号に基づいて所要の動作が得られるように制御処理を実行する。
また、表示部１８は、システムコントローラ１５の制御によって、当該携帯電話機１の動作状況に応じた内容の表示が行われるように駆動される。
【００２７】
また、システムコントローラ１５に対しては、図示するＮＶ−ＲＡＭ（不揮発性メモリ）２３が備えられる。このＮＶ−ＲＡＭ２３に対しては、例えば電話帳データや送受信した電子メールのデータなど、ユーザが設定・登録した各種データが保持される。
また、特に本実施の形態において、このＮＶ−ＲＡＭ２３に対しては、後の図１１、図１２に示すような動作を実現するためのプログラムとして、ウィッシュリストアプリケーション２３ａが格納されるものとなる。
例えばこの場合、携帯電話機１を利用した実施の形態としてのウィッシュリスト機能を利用するとしたときは、ユーザはネットワーク４上の所定のサーバ装置（例えばウィッシュリスト管理サーバ３等）が保持するウィッシュリストアプリケーション２３ａをダウンロードするようにされる。そして、このようにダウンロードされたウィッシュリストアプリケーション２３ａが、このＮＶ−ＲＡＭ２３に対して格納されるものとなる。
また、図示するようにこの場合のＮＶ−ＲＡＭ２３に対しては、ウィッシュリスト２３ｂも格納されるものとなるがこれについては後述する。
【００２８】
さらに、この場合の携帯電話機１に対しては、図示するリーダー部２０が備えられる。このリーダー部２０は、先の図１にて示したＲＦＩＤチップ５に記憶された商品情報を読み取るために備えられる。
リーダー部２０には、例えばマイクロ波を送出してＲＦＩＤチップ５より返信される商品情報を受信するためのアンテナが備えられ、このアンテナを介して受信された商品情報をシステムコントローラ１５に対して供給するようにされる。
【００２９】
なお、実施の形態では携帯端末装置として携帯電話機の構成を例示しているが、本発明の携帯端末装置としては、例えばＰＤＡ（Personal Digital Assistant）等の他の携帯端末装置の構成が採られてもかまわない。
【００３０】
３．情報処理装置
図３は、図１に示したパーソナルコンピュータ２内部の構成例を示すブロック図である。
先ず、ＣＰＵ３１は、起動されたプログラムに基づいてパーソナルコンピュータ２全体の制御、演算処理を行う。例えばユーザに対する入出力動作、ＨＤＤ４０へのデータファイルの格納や管理情報の作成・更新等を行う。
なお、ＣＰＵ３１は、図示するバス３２を介して各部との間で制御信号やデータのやりとりを行う。
【００３１】
メモリ部３３は、ＣＰＵ３１が処理に用いるＲＡＭ、ＲＯＭ、フラッシュメモリなどを包括的に示している。
メモリ部３３におけるＲＯＭには、ＣＰＵ３１の動作プログラム、プログラムローダー等が記憶される。また、メモリ部３３におけるフラッシュメモリには、各種演算係数、プログラムで用いるパラメータ等が記憶される。
さらに、メモリ部３３におけるＲＡＭには、プログラムを実行する上でのデータ領域、タスク領域が一時的に確保される。
【００３２】
ＨＤＤ４０においては、上述のようにしてＣＰＵ３１の制御に基づきデータファイルの格納や管理情報の作成・更新等が行われる。
また、このＨＤＤ４０に対しては、各種の動作を実現するためのアプリケーションソフトも格納される。例えばこの場合は、インターネットのホームページ閲覧のためのＷＥＢブラウザ等も格納される。
また、特に本実施の形態の場合では、ＣＰＵ３１が後の図１２に示す処理動作を行うためのウィッシュリストアプリケーション４０ａも格納されるものとなる。このようにパーソナルコンピュータ２側に格納されるウィッシュリストアプリケーション４０ａとしても、例えば予めネットワーク４に接続された所定のサーバ装置（ウィッシュリスト管理サーバ）からダウンロードされることで、このＨＤＤ４０に対してインストールされるものとする。
さらにこのＨＤ４０に対しては、後述するウィッシュリスト４０ｂも格納されるものとなる。
【００３３】
入力部３５は、当該パーソナルコンピュータ１に備えられる図示されないキーボードやマウス、或いはリモートコマンダー、その他の入力デバイスであって、ユーザが各種操作入力やデータ入力を行う。入力部３５で入力された情報は入力処理部３４で所定の処理が施され、ＣＰＵ３１に対して操作又はデータの入力として伝達される。ＣＰＵ３１は入力された情報に対応して必要な演算や制御を行う。
【００３４】
メディアドライブ３９は、例えばＣＤ(Compact Disc)、ＭＤ(Mini Disc：光磁気ディスク)、ＣＤ−Ｒ(Recordable)、ＣＤ−ＲＷ（ReWritable）、ＤＶＤ(Digital Versatile Disc)、ＤＶＤ−Ｒ、ＤＶＤ−ＲＷ、メモリーカード（半導体メモリ装置）等、所要の記録メディアに対応するドライブ機能部であり、これらメディアについての記録再生動作を行うことが可能に構成される。例えばメディアとしてＣＤ系やＤＶＤ系のディスクメディアに対応する場合、このメディアドライブ３９には、例えば光学ヘッド、スピンドルモータ、再生信号処理部、サーボ回路等が備えられるものとなる。
ドライブ制御部３８は、メディアドライブ３９に装填されたメディアについての記録再生動作、アクセス動作等を制御する。例えばユーザが入力部３５を介して装填されたメディアに対する再生操作を行った場合、ＣＰＵ３１はドライブ制御部３８にメディアの再生を指示する。するとドライブ制御部３８は、メディアドライブ３９に対してアクセス動作や再生動作を実行させるための制御を行う。メディアドライブ３９では、読み出した再生データをドライブ制御部３８を介してバス３２に送出する。
【００３５】
オーディオデータ処理部４３は、ＣＰＵ３１の制御に基づき、入力されたオーディオデータについて、イコライジング等の音場処理や音量調整、Ｄ／Ａ変換、増幅等の処理を施し、これをスピーカ部４４を介して出力する。
例えば、メディアドライブ３９により読み出されたオーディオデータが再生される際には、これらのオーディオデータがこのオーディオデータ処理部４３において処理された後、スピーカ部４４を介して出力される。
【００３６】
ディスプレイ３７は、例えば液晶パネルなどの表示デバイスとされ、ユーザに対して各種情報表示を行う。
例えば、ＣＰＵ３１が各種動作状態や入力状態、通信状態に応じて表示情報を表示処理部３６に供給すると、表示処理部３６は供給された表示データに基づいてディスプレイ３７を駆動して表示動作を実行させる。
また、上記したメディアドライブ３９において、例えば映像データが再生された場合には、この再生データについての信号処理を行い、これにより得られた信号に基づいてディスプレイ３７を駆動することにより映像表示を行わせる。
【００３７】
通信処理部４１は、ＣＰＵ３１の制御に基づいて送信データのエンコード処理、受信データのデコード処理を行う。
ネットワークインターフェイス４２は、上記通信処理部４１でエンコードされた送信データを、図１に示したネットワーク４を介して所定の機器、例えばウィッシュリスト管理サーバ３に送信する。またネットワーク４を介してウィッシュリスト管理サーバ３などの外部機器から送信されてきた信号を通信処理部４１に受け渡す。
通信処理部４１は受信した情報をＣＰＵ３１に転送する。
【００３８】
なお、パーソナルコンピュータ２の構成はこの図３の構成に限られるものではなく、更に多様に考えられる。
例えばＵＳＢ、ＩＥＥＥ１３９４などの通信方式による周辺機器とのインターフェイスが設けられるようにしてもよい。またマイクロホンや外部のヘッドホンの接続に用いられる端子や、ＤＶＤの記録再生に対応するビデオ入出力端子や、ライン接続端子、光デジタル接続端子等が設けられてもよい。
またＰＣＭＣＩＡスロットなどが形成され、外部の情報処理装置やオーディオ機器とデータのやりとりが可能とされてもよい。
【００３９】
４．サーバ装置
図４には、図１に示したウィッシュリスト管理サーバ３の内部構成例を示す。
図４において、ＣＰＵ５１は、起動されたプログラムに基づいて当該ウィッシュリスト管理サーバ３の全体の制御、演算処理を行う。例えば、図示する入力部５５に対する入力に応じた動作、ＨＤＤ５８へのデータファイルの格納や管理情報の作成・更新等を行う。このＣＰＵ５１としても、図示するバス５２を介して各回路部との間で制御信号やデータのやりとりを行う。
【００４０】
メモリ部５３は、この場合もＣＰＵ５１が処理に用いるＲＡＭ、ＲＯＭ、フラッシュメモリなどを包括的に示している。このメモリ部３３のＲＯＭには、ＣＰＵ５１の動作プログラム、プログラムローダー等が記憶される。また、上記フラッシュメモリには各種演算係数、プログラムで用いるパラメータ等が記憶され、ＲＡＭにはプログラムを実行する上でのデータ領域、タスク領域が一時的に確保される。
【００４１】
ＨＤＤ５８においては、ＣＰＵ５１の制御に基づいてデータファイルの格納や管理情報の作成・更新等が行われると共に、この場合は後の図１２に示される処理動作をＣＰＵ５１が実行するためのウィッシュリストアプリケーション５８ａが格納されている。また、このＨＤＤ５８に対しては、図示するウィッシュリスト５８ｂも格納される。
【００４２】
入力部５５は、この場合も図示されないキーボードやマウス、リモートコマンダー、その他の入力デバイスとされる。この場合の入力部５５に対しては、サービスを運営する側のオペレータなどが各種操作入力やデータ入力を行うものとして想定されている。
この場合も入力部５５で入力された情報は入力処理部５４で所定の処理が施され、ＣＰＵ５１に対して操作又はデータの入力として伝達される。そしてＣＰＵ５１では入力された情報に対応して必要な演算や制御を行うようにされる。
【００４３】
ディスプレイ５７は、例えば液晶パネルなどの表示デバイスとされて、この場合はオペレータ等に対して各種情報表示を行う。この場合も、例えばＣＰＵ５１が各種動作状態や入力状態、通信状態に応じて表示情報を表示処理部５６に供給すると、表示処理部５６は供給された表示データに基づいてディスプレイ５７を表示駆動し、これによって各種の情報についての表示出力が行われる。
【００４４】
通信処理部５９は、ＣＰＵ５１の制御に基づいて送信データのエンコード処理、受信データのデコード処理を行う。
ネットワークインターフェイス６０は、上記通信処理部５９にてエンコードされた送信データをネットワーク４を介して所定の機器、特に携帯電話機１やパーソナルコンピュータ２に送信する。またネットワーク４を介して携帯電話機１やパーソナルコンピュータ２などの外部機器から送信されてきた信号を、通信処理部５９に受け渡す。
通信処理部５９は受信した情報をＣＰＵ５１に転送する。
【００４５】
５．動作概要
これまでに説明したような買い物支援システム１００の構成により、実施の形態では、次の図６〜１０に示すような動作を行うものとしている。
先ず、図６〜図８を参照して、携帯電話機１によるウィッシュリストの作成動作例について説明する。図６、図７は、主にこのような携帯電話機１によるウィッシュリスト作成動作例について模式的に示した図であり、図８は、ウィッシュリスト作成にあたってのユーザの操作手順例を説明するための図として、表示部１８における表示画面の画面遷移例を示した図である。
【００４６】
先ず、図２において示した携帯電話機１においては、キー操作部１９を介してウィッシュリストアプリケーション２３ａを起動するための操作が行われることに応じて、例えば図８（ａ）に示すような起動画面を表示部１８の表示画面上に表示するようにされる。すなわち、図示するようにして「商品をリストに追加する」「リストを表示する」「メモを編集する」「終了する」等の各項目の表示と共に、これらの項目を選択するためのカーソルＣＲを表示するものである。
「商品をリストに追加する」の項目は、新たな商品情報を図２に示したウィッシュリスト２３ｂに対して追加するとしたときに選択指定されるべき項目である。また、「リストを表示する」の項目は、ウィッシュリスト２３ｂに追加されている各商品情報（ウィッシュリストのエントリ）の一覧を表示画面上に表示させるとした場合に選択指定されるべき項目である。さらに、「メモを編集する」は、後に説明するように商品情報と共にユーザが手動により入力可能とされたメモ情報を編集する際に選択指定されるべきものであり、「終了する」はアプリケーションを終了させる際に選択指定されるべき項目である。
【００４７】
ここで、図６において、図示する携帯電話機１を所持したユーザが、実店舗としてのリアルショップＡを訪れて、陳列商品を物色していたとする。そして、例えば図示するＣ商品について欲しいと感じ、ウィッシュリストに追加したいと考えたとする。
このようにして或る商品についてウィッシュリストに追加するとした場合、ユーザは上記のようにしてウィッシュリストアプリケーション２３ａを起動させて、図８（ａ）に示した起動画面を表示させた上で、「商品をリストに追加する」の項目を選択指定しておく。
【００４８】
このように起動画面上において「商品をリストに追加する」の項目が選択指定されたことに応じ、携帯電話機１では、リーダー部２０の動作を開始して例えばマイクロ波等の出力を開始するようにされる。
【００４９】
リーダー部２０の動作が開始された下で、ユーザは欲しいと考えた商品に携帯電話機１をかざすようにされる。
すると、図６の（１）として示すように、携帯電話機１ではリーダー部２０の動作によって、その商品に対応して配置されたＲＦＩＤチップ５に記憶されたデータが読み取られる。つまり、ＲＦＩＤチップ５に記憶されている商品名、ショップ名、商品価格、ＵＲＩ、連絡先の各情報が携帯電話機１によって読み取られる。
【００５０】
携帯電話機１において、ＲＦＩＤチップ５からの商品情報の読み取りが行われたことに応じては、図８（ｂ）に示すような質問画面を表示画面上に表示するようにされる。つまり、例えば図示するように読み取られた商品情報中の商品名の情報と、「ウィッシュリストに登録しますか？」との質問メッセージと共に、「Ｙｅｓ」「Ｎｏ」を選択指定するためのアイコンを表示する。
このような質問画面に対し、ユーザは、キー操作部１９に設けられた例えば十字キー等の操作により、図示するカーソルＣＲを移動させることで「Ｙｅｓ」「Ｎｏ」の選択を行うことができる。そして、例えば所定キーの操作を行うことで、選択した項目について指定することができる。
【００５１】
そして、図８（ｂ）に示される質問画面において、表示された商品名の商品をウィッシュリストに追加するとして「Ｙｅｓ」が選択指定された場合は、図８（ｃ）に示すようなメモ入力を行うか否かの質問画面を表示する。この質問画面としては、図示するようにして「メモ入力しますか？」等の質問メッセージと共に、上述の質問画面と同様に「Ｙｅｓ」「Ｎｏ」を選択指定するためのアイコンとカーソルＣＲとを表示する。
【００５２】
そして、メモを入力するとして「Ｙｅｓ」が選択指定された場合は、次の図８（ｄ）に示されるような入力画面を表示する。つまり、文字入力用のカーソルＣＲと、「入力完了」を選択指定するためのアイコンを表示する。
これによりユーザは、図示するカーソルＣＲにより指し示される位置に対して文字等を入力して、メモ情報を入力することができる。さらに、例えば十字キーに対する操作を行ってカーソルＣＲを「入力完了」アイコンに移動させ、例えばこれを指定するための所定操作を行うことで、入力したメモ情報を確定し、入力を完了することができる。
【００５３】
ここで、上記のようにして「入力完了」アイコンが選択指定されてメモ情報の入力が完了した場合と、図８（ｃ）に示した質問画面において「Ｎｏ」が選択されてメモ入力を行わないとされた場合とに応じては、図６中の（２）として示すように、先の（１）の動作によりＲＦＩＤチップ５から読み出された商品情報に対して、図中に日付と示した現在時刻情報と、メモが入力された場合は入力メモ情報を追加して、これらをウィッシュリスト２３ｂのエントリデータEntとして生成するようにされる。
ここでは、（１）の動作によってＣ商品から読み取られた商品情報に基づき生成されたエントリデータEntを、エントリデータEnt-1とする。
【００５４】
そして、このようにエントリデータEnt-1を生成すると、これをウィッシュリスト２３ｂのエントリとしてＮＶ−ＲＡＭ２３に対して記録するようにされる。
これによってＮＶ−ＲＡＭ２３に格納されるウィッシュリスト２３ｂに対して、（１）の動作により読み取られたＣ商品に対応するエントリデータEnt-1が追加されたことになる。
【００５５】
さらに、携帯電話機１においては、このようにウィッシュリスト２３ｂにエントリデータEntを新規に追加したことに応じて、図８（ｅ）に示すような確認質問画面を表示するようにされる。つまり、例えば「Ｃ商品をウィッシュリストに追加しました」等により、読み取られた商品情報に基づくエントリデータEntがウィッシュリスト２３ｂに追加されたことを確認するメッセージと、「追加を終了しますか？」等による質問メッセージと共に「Ｙｅｓ」「Ｎｏ」を選択指示するためのアイコンとカーソルＣＲを表示する。
【００５６】
この確認質問画面に対し、「Ｙｅｓ」が選択されて追加を終了するとされた場合は、例えば先の図８（ａ）に示した起動画面を再度表示する。そして、このような起動画面における例えば「終了する」の項目が選択指定されることで、アプリケーションが終了される。
また、「Ｎｏ」が選択されて追加を終了しないとされた場合は、リーダー部２０の動作を継続させて、商品情報の読み取りを待機する。
【００５７】
続いては、上記のように図８（ｅ）に示した確認質問画面において「Ｎｏ」が選択された状態で、図７に示すように、携帯電話機１のユーザが今度はリアルショップＢに移動したとする。そして、このリアルショップＢにて商品を物色し始め、図示するＦ商品について欲しいと感じ、このＦ商品についてもウィッシュリストに追加したいと考えたとする。
この場合もユーザは、欲しいと考えたこのＦ商品に携帯電話機１をかざす。これにより携帯電話機１は、このＦ商品付近に設置されたＲＦＩＤチップ５から、Ｆ商品についての商品情報を読み取るようにされる。
【００５８】
そして、このように商品情報が読み取られることに応じ携帯電話機１では、先の図８（ｂ）に示したものと同様の質問画面を表示し、このＦ商品についてウィッシュリストに追加するか否かを確認する。さらに、この質問画面にて「Ｙｅｓ」が選択指定されることに応じ、図８（ｃ）に示したものと同様の質問画面を表示し、この質問画面にて「Ｙｅｓ」が選択指定された場合は入力画面（図８（ｄ））を表示してメモ入力完了を待機する。そして、メモの入力完了が選択指定された場合、或いは図８（ｃ）の質問画面にて「Ｎｏ」が選択指定されることに応じ、このＦ商品の情報に基づくエントリデータEnt（図中エントリデータEnt-2とする）を生成する。すなわち、読み取られたＦ商品の商品情報と、現在時刻情報（日付情報）と、メモが入力された場合のそのメモ情報とから成るエントリデータEnt-2を生成する。
その上で、このように生成したエントリデータEnt-2を、ウィッシュリスト２３ｂのエントリデータとして追加されるようにＮＶ−ＲＡＭ２３に対して記録する。
【００５９】
これまでの説明から理解されるように、実施の形態の携帯電話機１によれば、ユーザは、欲しいと感じた商品に対して携帯電話機１をかざすという行為と、少なくともその商品をリストに追加するか否か及びメモ入力を行うか否かについての非常に簡易な操作を行うのみで、ウィッシュリストを自動的に作成させることができる。すなわち、従来のオンラインショッピングの場合と同様の簡易な操作によって、現実のショッピングでのウィッシュリストの作成を行うことができる。
【００６０】
そして、図６〜図７にかけての説明から理解されるように、携帯電話機１によれば、異なる店舗にて販売される商品についても、同一のウィッシュリストに対して追加することができる。つまり、実施の形態では、商品ごとにＲＦＩＤチップ５を配置し、このＲＦＩＤチップ５から読み取った商品情報に基づいてウィッシュリストを作成するものとしていることから、異なる店舗で販売される商品についても同一のウィッシュリストにより管理することができるものである。
【００６１】
ここで、上記のようにして携帯電話機１にて作成されたウィッシュリストの閲覧時の動作について、図８、図９により説明しておく。
先ず、このように作成されたウィッシュリストの内容を閲覧したいとしたときは、ユーザは図８（ａ）に示した起動画面において、「リストを表示する」の項目にカーソルＣＲを移動させた上で、これを指定するための操作を行うようにされる。
【００６２】
これに応じ携帯電話機１では、図９（ａ）に示されるようなリスト画面を表示画面上に表示するようにされる。つまり、ウィッシュリスト２３ｂとして追加された商品情報の商品名の一覧と共に、これら各商品名を選択指定するためのカーソルＣＲを表示したものである。
ユーザは、十字キー等を操作してカーソルＣＲを移動させることで、所望の商品名を選択指定することができる。
【００６３】
そして、このようなリスト画面において或る商品名が選択指定されることに応じ、携帯電話機１では図９（ｂ）に示すような商品情報画面を表示画面上に表示するようにされる。例えば、このような商品情報画面の表示内容としては、エントリデータEntの内容を表示するようにされる。つまり、図示するように商品名、ショップ名、商品価格、ＵＲＩ、連絡先、日付、メモの各項目を表示する。
また、この場合の商品情報画面に対しては図示するカーソルＣＲも表示する。このカーソルＣＲとしては、例えばＵＲＩの項目と、連絡先の項目と、メモの項目を選択指定できるようにしておく。
【００６４】
例えば、ＵＲＩの項目が選択指定されることに応じては、このＵＲＩの情報によって特定されるホームページを開く動作を実行する。これによって、このＵＲＩの項目に対する選択指定に応じては、例えばより詳細な商品情報をユーザに提示することができる。
また、連絡先の項目が選択指定された場合は、例えばこの連絡先の項目として示される電話番号を発信先番号とした発信動作を行うようにされる。このような機能によれば、ユーザに番号入力の操作負担を強いることなく商品を販売する店舗に自動的に電話をかけることができる。これによれば、例えば上記したＵＲＩの項目としてＷＥＢショップのＵＲＩが記憶されていなかった場合にも、ユーザは例えば商品の在庫確認や店舗の所在の情報等を確認することが可能となる。
なお、例えばＲＦＩＤチップ５に対してＵＲＩの情報が記憶されていなかった場合でこのＵＲＩの項目が空欄となっていた場合や、連絡先の項目として電話番号以外の情報が記憶される場合等には、これら自動接続或いは自動発信の機能は省略されればよい。具体的には、ＵＲＩの情報の有り／無しや、連絡先として電話番号としての情報が記憶されているか否かを自動的に検出し、この検出結果に基づいてこれら自動接続又は自動発信の機能のオン／オフを切り換えるように構成されればよい。
【００６５】
また、メモの項目が選択指定されたことに応じては、入力されたメモ情報を表示画面上に表示する。
なお、メモの入力が行われていなかった場合に対応しては、例えばこの商品情報画面上にメモの項目自体の表示を行わないようにすればよい。
また、この場合は商品情報画面に対してメモの項目名のみを表示した上で、その選択指定に応じてメモの内容を表示するものとしたが、これに代えて商品情報画面上にその内容を表示させておくものとしてもよい。
【００６６】
ところで、このようにしてユーザによる閲覧が可能されるウィッシュリストとしては、そこにリストアップされた商品群の中から購入商品を選別するために参照されることが予想される。
そして、このように購入商品を選別するにあたっては、商品の外観などのより詳細な情報を比較して、より自分の好みにあった商品を購入したいと考えるのが一般的であると考えられる。
【００６７】
ここで、従来のオンラインショッピングでのウィッシュリストの場合もそうであったように、実施の形態が提案するリアルショップでのウィッシュリストの場合としても、ユーザは商品情報として記憶されたＵＲＩの情報を基に、商品の詳細情報が掲載されたホームページにアクセスして、例えば商品の画像等を参照比較して購入商品を絞り込むといったことが行われると予想される。
或いは、仮にＲＦＩＤチップ５に対して商品画像が記憶される場合には、その画像表示させて参照比較した結果によって購入商品を絞り込むといったことが予想される。
【００６８】
しかしながら、携帯電話機１のような携帯端末装置では、一般的に表示画面が小型とされるので、上記のようにして商品の画像等を比較するといった場合に表示画像が認識しずらくなってしまうといった問題が生じる。また、携帯端末装置では、通信速度が比較的遅めとなる傾向にあるので、商品の詳細情報が掲載されたホームページを開くのに長時間を要し、それぞれの商品について思うように選別を行うことが困難となる可能性もある。
【００６９】
そこで実施の形態では、携帯電話機１にて作成されたウィッシュリストの内容を、パーソナルコンピュータ２との間で自動的に共有化することで、このような問題の解決を図る。すなわち、携帯電話機１にて作成されたウィッシュリストが自動的にパーソナルコンピュータ２との間で共有化されれば、例えば自宅等においてパーソナルコンピュータ２の大画面に商品画像を表示させて購入商品を選別するといった場合にも、携帯電話機１側からウィッシュリストの内容を手動で移すといった手間を省略することができるものである。
【００７０】
このようなウィッシュリストの共有動作について、先の図７、図８と、次の図１０を用いて説明する。
先ず、図７において、先に説明したようにして（２）の動作により新たな商品（Ｆ商品）についてのエントリデータEnt（Ent-2）が追加されることに応じては、携帯電話機１の表示画面上に図８（ｅ）に示した確認質問画面が表示される。
【００７１】
ここで、このようにＦ商品についてウィッシュリストに追加した後、例えばユーザがウィッシュリストへの追加を終了するとして、この確認質問画面にて「Ｎｏ」が選択指定されたとする（図７中（３））。
すると、これに応じ携帯電話機１では、先ずはウィッシュリスト２３ｂについてのコピーを生成するようにされる。つまり、この場合の携帯電話機１において追加されたエントリデータEnt-1、エントリデータEnt-2がエントリされたウィッシュリスト２３ｂについてのコピーを生成すうようにされる。そして、このように生成したコピーを、ネットワーク４を介してウィッシュリスト管理サーバ３に対して送信するようにされる（図中（４））。
【００７２】
ウィッシュリスト管理サーバ３では、このように携帯電話機１から送信されたウィッシュリスト２３ｂのコピーの内容に基づき、図４に示したＨＤＤ５８に保持されるウィッシュリスト５８ｂの内容を更新するようにされる。つまり、これにより、先ずは携帯電話機１とウィッシュリスト管理サーバ３との間で、ウィッシュリストの内容が共有されるものとなる。
【００７３】
続いて、図１０において、例えば図６、図７における携帯電話機１を用いたウィッシュリストへの追加を行った後、ユーザが自宅等に配置されたパーソナルコンピュータ２を起動させて、このパーソナルコンピュータ２にインストールされたウィッシュリストアプリケーション４０ａを起動させたとする。
このウィッシュリストアプリケーション４０ａの起動に伴っては、パーソナルコンピュータ２のディスプレイ３７上には、例えば先の図８（ａ）に示したものとほぼ同様の起動画面が表示される。但し、この場合のパーソナルコンピュータ２としては、ウィッシュリストへの商品情報（エントリデータEnt）の追加機能は与えないものとしているので、ここでの起動画面では「商品をリストに追加する」の項目は不要となる。
なお、パーソナルコンピュータ２側においても、上記起動画面における「リストを表示する」「メモを編集する」「終了する」の各項目の選択指定に応じた動作は、先に説明した携帯電話機１側の動作と同様となる。
【００７４】
そして、パーソナルコンピュータ２において、ウィッシュリストアプリケーション４０ａの起動に応じては、上記のような起動画面の表示と共に、ウィッシュリスト管理サーバ３に対するウィッシュリスト５８ｂについての送信要求も行うようにされる（図１０中（２））。
ウィッシュリスト管理サーバ３では、このようにパーソナルコンピュータ２から送信された送信要求を受信することに応じて、ＨＤＤ５８に格納されるウィッシュリスト５８ｂについてのコピーを生成する。つまり、エントリデータEnt-1、エントリデータEnt-2がエントリされたウィッシュリスト５８ｂについてのコピーを生成するようにされる。そして、このように生成したコピーをパーソナルコンピュータ２に対して送信する（図中（２））。
【００７５】
パーソナルコンピュータ２は、ウィッシュリスト５８ｂについてのコピーを受信すると、これに基づいてＨＤＤ４０内に記憶されるウィッシュリスト４０ｂの内容を更新する。
これによって、携帯電話機１との間で共有化されたウィッシュリスト管理サーバ３のウィッシュリスト５８ｂと、パーソナルコンピュータ２のウィッシュリスト４０ｂとの内容が共有化され、従って携帯電話機１とパーソナルコンピュータ２との間でもウィッシュリストの内容が共有化されたことになる。
つまり、これにより、同一ユーザが管理するものとされる携帯電話機１とパーソナルコンピュータ２との間で、ウィッシュリストの内容を自動的に共有化できるものである。
【００７６】
６．処理動作
これまでに説明してきた実施の形態としての動作を実現するにあたり、買い物支援システム１００にて行われるべき処理動作について、以下の図１１、図１２のフローチャートを用いて説明する。
先ず、図１１では、携帯電話機１によるウィッシュリスト２３ｂの作成時に対応して行われるべき処理動作について説明する。なお、この図１１に示される処理動作は、図２に示したシステムコントローラ１５が、ウィッシュリストアプリケーション２３ａのプログラムに従って実行するものである。
また、この図１１では、既にウィッシュリストアプリケーション２３ｂが起動され、且つ図８（ａ）にて示した起動画面において「商品をリストに追加する」の項目が選択指定されることに応じて、リーダー部２０の動作が開始されている状態にあるとする。
【００７７】
図１１において、先ず図示するステップＳ１０１の処理によっては、図２にて示したリーダー部２０による、ＲＦＩＤチップ５からの商品情報の読み取りを監視するようにされる。
そして、リーダー部２０による商品情報の読み取りが行われた場合には、ステップＳ１０２において、読み取られた商品情報を例えばＲＡＭ２２等に保持するようにされる。
【００７８】
続くステップＳ１０３においては、ウィッシュリストに追加するか否かの判別処理を実行する。このステップＳ１０３の処理としては、先ず、上記のように保持された商品情報の内容に基づき、先の図８（ｂ）において示したような質問画面を表示部１８の表示画面上に表示させる。そして、この質問画面上にて表示されたカーソルＣＲにより、「Ｙｅｓ」アイコンと「Ｎｏ」アイコンとのいずれが選択指定されるかに応じて、ウィッシュリストに追加するか否かについての判別を行う。
ステップＳ１０３において、上記した質問画面に対し「Ｎｏ」を選択指定する操作が行われて、ウィッシュリストに追加しないとして否定結果が得られた場合は、後述するステップＳ１１２に処理を進める。また、「Ｙｅｓ」を選択指定する操作が行われて肯定結果が得られた場合は、ステップＳ１０４に処理を進める。
【００７９】
ステップＳ１０４においては、読み取られた商品情報に基づくエントリデータEntが既にウィッシュリストに追加されているか否かについての判別処理を実行する。例えば、保持された商品情報を基にウィッシュリストのエントリデータEntを検索し、同一の商品情報内容を有するエントリデータEntが存在しないとして否定結果が得られた場合は、ステップＳ１０６に処理を進める。
【００８０】
また、同一の商品情報内容を有するエントリデータEntが存在するとして肯定結果が得られた場合は、図示するようにステップＳ１０５に処理を進めて、上書きをするか否かについての判別処理を実行するようにされる。
このステップＳ１０５の処理としては、例えば「上書きしますか？」等のメッセージと共に、図８にて示した各種の質問画面と同様に「Ｙｅｓ」「Ｎｏ」アイコンとカーソルＣＲとを表示した画面を表示部１８に表示させる。そして、このように表示させた画面上での「Ｙｅｓ」「Ｎｏ」の選択指定操作に応じて、上書きをするか否かについての判別を行う。そして、上記画面上にて「Ｎｏ」を選択指定する操作が行われて、上書きをしないとの否定結果が得られた場合は、ステップＳ１１２に処理を進める。また、「Ｙｅｓ」を選択指定する操作が行われて肯定結果が得られた場合は、ステップＳ１０６に処理を進める。
【００８１】
ステップＳ１０６においては、日付の情報を取得する。先にも説明したように、この場合は日付の情報として現在時刻情報を取得する。具体的には、例えば年月日時分の現在時刻情報を取得するものとする。
【００８２】
続くステップＳ１０７においては、メモ入力を行うか否かについての判別処理を実行する。すなわち、先の図８（ｃ）に示したような質問画面を表示させ、この質問画面における「Ｙｅｓ」「Ｎｏ」の選択指定操作に応じてメモ入力を行うか否かについての判別を行う。
そして、「Ｎｏ」が選択されてメモを入力しないとの否定結果が得られた場合は、ステップＳ１１１に処理を進めて、保持された商品情報と共に、上記のように取得された日付の情報をウィッシュリストに追加するようにされる。すなわち、これら商品情報と日付の情報とによりエントリデータEntを生成し、これをウィッシュリスト２３ｂのエントリとして追加するようにＮＶ−ＲＡＭ２３に記録するものである。
【００８３】
また、ステップＳ１０７において、上記質問画面における「Ｙｅｓ」アイコンが選択指定されてメモを入力するとの肯定結果が得られた場合は、ステップＳ１０８の入力処理を実行する。
この入力処理としては、先の図８（ｄ）に示したような入力画面を表示させると共に、操作に応じて文字等の表示を行ったりカーソルＣＲの移動を行う等、ユーザの入力操作に応じた処理を実行するようにされる。
さらに、続くステップＳ１０９においては、このような入力画面上に表示させた例えば「入力完了」アイコンを選択指定する操作が行われたか否かに基づくなどして、メモ入力が完了したか否かについての判別処理を行う。例えば「入力完了」が選択指定されず否定結果が得られる場合は、ステップＳ１０８の入力処理を継続する。
そして、「入力完了」が選択指定されて肯定結果が得られた場合は、ステップＳ１１０に進んで、商品情報と日付の情報と共に、このように入力されたメモ情報をウィッシュリストに追加する処理を実行する。つまり、これら商品情報、日付の情報、メモ情報とにより生成したエントリデータEntを、ウィッシュリスト２３ｂのエントリとして追加するようにＮＶ−ＲＡＭ２３に記録する。
【００８４】
続くステップＳ１１２においては、終了操作の有無についての判別処理を実行する。
このステップＳ１１２の処理としては、先ずは先の図８（ｅ）に示した確認質問画面を表示させる。その上で、同画面上に表示させた「Ｙｅｓ」「Ｎｏ」アイコンのいずれかの選択指定に応じて、ウィッシュリストへの追加を終了する操作が行われたか否かについての判別を行う。
上記確認質問画面にて「Ｎｏ」が選択指定されて終了しないとの否定結果が得られた場合は、先のステップＳ１０１に戻り、リーダー部２０による商品情報の読み取りを監視する。一方、「Ｙｅｓ」が選択指定されて終了するとの肯定結果が得られた場合は、次の図１２に示されるステップＳ１１３に処理を進める。
【００８５】
続いては、図１２を参照して、ウィッシュリストの共有動作のために行われるべき処理動作について説明する。
なお、この図において示されるウィッシュリスト管理サーバ３としての処理動作は、図４に示したＣＰＵ５１がＨＤＤ５８内に格納された管理プログラム５８ａに従って実行するものである。同様に、パーソナルコンピュータ２としての処理動作は、図３に示したウィッシュリストアプリケーション４０ａのプログラムに従ってＣＰＵ３１が実行するものである。
【００８６】
図１２において、先ず携帯電話機１では、ステップＳ１１３の処理によって、先のステップＳ１１２における追加の終了操作に応じてウィッシュリスト管理サーバ３への接続処理を実行するようにされる。
【００８７】
ウィッシュリスト管理サーバ３側では、このような携帯電話機１からの接続の有無をステップＳ２０１において判別するようにされる。
このステップＳ２０１において、携帯電話機１からのネットワーク４を介した接続がないとして否定結果が得られた場合は、ステップＳ２０２に処理を進めて、パーソナルコンピュータ２側からのウィッシュリストの送信要求の有無を判別するようにされる。そして、パーソナルコンピュータ２側からのウィッシュリストの送信要求がないとして否定結果が得られた場合は、再びステップＳ２０１の判別処理を実行する。つまり、これらステップＳ２０１とステップＳ２０２とによっては、携帯電話機１からの接続とパーソナルコンピュータ２側からの送信要求とのいずれかを監視するループが形成されている。
そして、ステップＳ２０１において、携帯電話機１からの接続があったとして肯定結果が得られた場合は、ステップＳ２０３において、携帯電話機１側に対するウィッシュリストの送信要求を行う。
【００８８】
携帯電話機１側では、このようなウィッシュリスト管理サーバ３側からの送信要求を、図示するステップＳ１１４において監視している。そして、ウィッシュリスト管理サーバ３側からの送信要求が受信されると、ステップＳ１１５において、ウィッシュリストのコピーをウィッシュリスト管理サーバ３に対して送信するようにされる。すなわち、ＮＶ−ＲＡＭ２３に記憶されたウィッシュリスト２３ａについてのコピーを生成し、これをウィッシュリスト管理サーバ３に対して送信するものである。
【００８９】
ウィッシュリスト管理サーバ３では、このような携帯電話機１側から送信されたウィッシュリスト２３ｂのコピーの受信を、ステップＳ２０４にて監視している。そして、このようなウィッシュリスト２３ｂのコピーが受信されることに応じて、ステップＳ２０５においては、受信されたウィッシュリスト２３ｂのコピーに基づいて、ＨＤＤ５８に記憶されるウィッシュリスト５８ｂの内容を更新する処理を実行する。
これによって、携帯電話機１とウィッシュリスト管理サーバ３との間で、ウィッシュリストの内容が共有化される。
【００９０】
一方、パーソナルコンピュータ２側では、図示するステップＳ３０１の処理によって、例えば先に説明したようにしてウィッシュリストアプリケーション４０ａの起動に応じる等して、ウィッシュリストについての送信要求をウィッシュリスト管理サーバ３に対して行うようにされる。
【００９１】
ウィッシュリスト管理サーバ３側では、このようなパーソナルコンピュータ２側からの送信要求の有無を、先のステップＳ２０２において判別している。
ステップＳ２０２において、パーソナルコンピュータ２側からの送信要求があったとされて肯定結果が得られた場合は、ステップＳ２０６に処理を進めて、ウィッシュリスト５８ｂについてのコピーをパーソナルコンピュータ２に対して送信する処理を実行する。
【００９２】
パーソナルコンピュータ２側では、ウィッシュリスト管理サーバ３から送信されるウィッシュリスト５８ｂのコピーの受信を、ステップＳ３０２にて監視している。そして、このウィッシュリスト５８ｂのコピーが受信されることに応じ、ステップＳ３０３において、受信されたウィッシュリスト５８ｂのコピーに基づいて、ＨＤＤ４０に記憶されるウィッシュリスト４０ｂの内容を更新する処理を実行する。
これによって、携帯電話機１とパーソナルコンピュータ２との間でも、ウィッシュリストの内容が共有化されることになる。
【００９３】
なお、図１２に示した動作によれば、ウィッシュリストの共有化にあたりウィッシュリストの全内容が更新されるものとなるが、これによれば、携帯電話機１側にて行ったエントリデータEntの削除やメモの編集等の編集内容についても共有化することが可能となる。
しかしながら、通信処理の負担を軽減する等の目的で、ウィッシュリストに対して追加されたエントリデータEntや編集分のデータのみを送信して更新するものとしてもよい。この場合としては、例えばウィッシュリスト管理サーバ３と携帯電話機１との間では、互いが保持するウィッシュリストの内容について比較し、異なるデータ部分のみを携帯電話機１側からウィッシュリスト管理サーバ３側に対して送信するものとすればよい。
また、ウィッシュリスト管理サーバ３とパーソナルコンピュータ２との間でも、互いが保持するウィッシュリストの内容について比較し、異なるデータ部分のみをウィッシュリスト管理サーバ３側からパーソナルコンピュータ２側に送信するものとすればよい。
そして、このように送信されたデータ部分のみについて更新動作を行うことで、この場合も結果としてはウィッシュリストの内容を共有化できる。
【００９４】
７．実施の形態のまとめ・変形例
以上のようにして実施の形態の買い物支援システム１００によれば、ＲＦＩＤチップ５に記憶させた商品情報を携帯電話機１により読み取る構成としたことで、実店舗において実際に販売される商品についても、オンラインでの場合と同様に簡易な操作のみによってウィッシュリストを作成することができる。
また、このようにＲＦＩＤチップ５からの情報を読み取ってウィッシュリストに追加する構成としたから、異なる店舗にて販売される商品についても一つのウィッシュリストで管理することが可能となる。
【００９５】
その上で、実施の形態では、携帯電話機１にて作成されたウィッシュリスト２３ｂの内容に基づき、ウィッシュリスト管理サーバ３に記憶されるウィッシュリスト５８ｂの内容を更新するようにし、さらにパーソナルコンピュータ２において記憶されるウィッシュリスト４０ｂの内容をこのように更新されたウィッシュリスト５８ｂの内容に基づいて更新するものとしたことで、同一ユーザが管理するものとされる携帯電話機１とパーソナルコンピュータ２との間でウィッシュリストを共有化できる。
このようにして携帯電話機１とパーソナルコンピュータ２との間でウィッシュリストの内容が共有化できれば、例えばパーソナルコンピュータ２が備える比較的大画面のディスプレイを介して商品画像等の詳細情報を参照するといった際にも、携帯電話機１側からエントリデータEntを手動で取り込むといった手間を省略できる。
【００９６】
また、実施の形態では商品情報としてＵＲＩの情報を記憶しておくことで、商品情報のより詳細な情報を参照させることができる。これによれば、ＲＦＩＤチップ５の容量が比較的少ない場合にも、容量以上の情報をユーザに参照させることができる。
また、ＵＲＩとしてＷＥＢショップのＵＲＩを記憶するものとしておけば、このＷＥＢショップとしてのホームページに直接ジャンプさせることができ、そのままこの商品をオンラインにて購入させることも可能となる。つまり、ＷＥＢショップとしてのホームページでは商品掲載ページから商品購入フォームがリンクされているのが一般的であり、ユーザはこの購入フォームに所定の事項を記入することで、結果的にウィッシュリストに追加された商品についてオンラインで購入できることになる。
【００９７】
また、店舗の連絡先の情報を記憶させておくことで、ＷＥＢショップを運営していない場合にも、商品の詳細情報をユーザに得させることができる。
また、ウィッシュリストのエントリデータEntとして、実施の形態のようにメモ入力が可能に構成されることで、例えば商品情報として画像等が記憶されておらず、またＵＲＩの情報も記憶されていない場合等にも、その場で見た印象等を書き込む等して後の購入時の目安にすることができる。
【００９８】
なお、これまでに説明してきた実施の形態では、説明の便宜上、携帯電話機１とパーソナルコンピュータ２とが各１台とされる場合を例示し、ウィッシュリスト管理サーバ３が１ユーザのみについてウィッシュリストを管理するものとしたが、複数のユーザについてウィッシュリストを管理するように構成することもできる。
つまり、この場合には、先ずはウィッシュリスト管理サーバ３側で複数のユーザについて識別が可能となるように、本システムを利用する各ユーザは、予め携帯電話機１とパーソナルコンピュータ２とについてウィッシュリスト管理サーバ３に対して登録を行うようにしておく。この登録に応じウィッシュリスト管理サーバ３は、携帯電話機１、パーソナルコンピュータ２に対してＩＤ情報を割り与える。ウィッシュリスト管理サーバ３は、このＩＤ情報を基に各ユーザについてのウィッシュリストを管理する。
その上で、或る携帯電話機１側からの接続に応じては、この携帯電話機１側が送信してきたＩＤ情報に対応づけて管理されるウィッシュリストについて、この携帯電話機１から送信されるウィッシュリストの内容に基づく更新を行う。また、或るパーソナルコンピュータ２からのアクセスに応じては、このパーソナルコンピュータ２から送信されたＩＤ情報に対応づけて管理されるウィッシュリストに基づき、このパーソナルコンピュータ２に記憶されるウィッシュリストの内容を更新させるようにする。
このようにすることで、個々のユーザ対応にウィッシュリストを管理すると共に、各ユーザの携帯電話機１とパーソナルコンピュータ２間でウィッシュリストの内容を自動的に共有化させることができる。
【００９９】
また、このように複数の携帯電話機１、パーソナルコンピュータ２に対応してウィッシュリストを管理する場合には、ウィッシュリスト管理サーバ３と携帯電話機１、パーソナルコンピュータ２との間で認証処理を行うように構成することが考えられる。
例えば、上記したようなウィッシュリスト管理サーバ３側への登録時において、ユーザにパスワードの設定等を行わせるようにしておく。ウィッシュリスト管理サーバ３側は、携帯電話機１、パーソナルコンピュータ２側からの接続に応じて、このように設定されたパスワードの情報と携帯電話機１、パーソナルコンピュータ２側が送信してきたパスワードの情報とが一致するか否かを判別する等して認証を行う。
このような認証処理は、パスワードに基づく以外にも、例えば非対称暗号方式を利用した認証なども採ることができ、ここでは認証の手法について特に限定はしない。
【０１００】
また、実施の形態では１ユーザが管理するものとされる携帯端末装置が携帯電話機１のみとされる場合を例示したが、１ユーザが複数の携帯端末装置を用いたウィッシュリストへの商品情報の追加が可能となるようにしてもよい。
この場合は、これら複数の携帯端末装置との間においてもウィッシュリストの共有が可能となるように、携帯端末装置側としても、ウィッシュリスト管理サーバ３にて保持されるウィッシュリストの内容に基づいた更新動作を行うように構成しておく。
つまり、この場合の携帯端末装置側の動作としては、例えばパーソナルコンピュータ２側の動作と同様に、ウィッシュリストアプリケーションの起動に応じてウィッシュリスト管理サーバ３にウィッシュリストの送信要求を行う。そして、これに応じ送信されてきたウィッシュリストに基づいて自らが保持するウィッシュリストの更新を行えば、ユーザが管理する複数の携帯端末装置とパーソナルコンピュータ２の全者がウィッシュリストを共有することができる。
【０１０１】
また、実施の形態では、買い物支援システム１００としてのサービスを事業者が提供する場合を例に挙げ、ウィッシュリスト管理サーバ３を設ける場合を例示したが、例えばユーザ個人の使用を想定した場合などには、携帯電話機１とパーソナルコンピュータ２との二者間でウィッシュリストの共有を行うことが考えられる。
つまり、例えば携帯電話機１は追加したエントリデータEntのコピーを直接パーソナルコンピュータ２側に送信する。パーソナルコンピュータ２はこのように携帯電話機１から送信されたエントリデータEntのコピーに基づき、ウィッシュリスト４０ｂの内容を更新するように構成すればよい。
【０１０２】
また、実施の形態では、パーソナルコンピュータ２側においてもウィッシュリスト４０ｂを保持する例を挙げたが、この場合のパーソナルコンピュータ２としては自宅等に設置されることが想定され、ウィッシュリストを閲覧する用途で使用されることが想定されるので、必ずしもウィッシュリストを保持させる必要はない。例えば、この場合のパーソナルコンピュータ２として、ウィッシュリスト管理サーバ３に接続し、ここに保持されるウィッシュリストをＷＥＢブラウザにより閲覧可能に構成しておけば、結果的にユーザは携帯電話機１側と共有化されたウィッシュリストを閲覧することができる。
【０１０３】
また、実施の形態では、商品情報を記憶する記憶媒体としてＲＦＩＤチップ５を採用する場合を例示したが、これに代えて、例えばＱＲ（Quick Response）コード等のバーコード情報により商品情報を記憶させた媒体を用いることも可能である。この場合は、携帯電話機１のリーダー部２０をこのようなバーコード情報を読取りに対応した構成とする。
或いは、カメラ機能を有する携帯電話機１であれば、撮像されたバーコードを画像認識した結果に基づいて、情報を読み取る構成としてもよい。この場合、カメラ機能を有する携帯電話機１であれば読み取りのためのハードウエア構成の追加を不要とすることができるという点でメリットがある。
そして、バーコード情報としては紙等の所要の媒体に印刷するのみで情報を記憶させることができるので、実施の形態で例示したように商品個々にＲＦＩＤチップ５を用意する場合よりもシステム実現のためのコストを低減できるというメリットもある。
【０１０４】
また、実施の形態では、ウィッシュリスト管理サーバ３に保持されるウィッシュリスト５８ｂの内容に基づき、ウィッシュリストの更新動作を行うタイミングとして、例えばウィッシュリストアプリケーションの起動に応じたタイミングとする場合を例示したが、これ以外にも、例えば先の図８（ａ）に示したような起動画面に、新たにこのような更新のための項目を設け、この更新の項目の選択指定に応じて実行するものとしてもよい。
或いは、このようなウィッシュリスト管理サーバ３が保持するウィッシュリスト５８ｂに基づくウィッシュリストの更新は、所定の時間間隔で自動的に行うようにされてもよい。
【０１０５】
また、実施の形態では、携帯電話機１側からウィッシュリスト管理サーバ３へのウィッシュリスト更新タイミングを、エントリデータEnt（商品情報）の追加終了操作に応じて行うものとしたが、これ以外にも、例えば１回のエントリデータEntの追加ごとにこれを送信するものとしてもよい。
或いは、起動画面において別途ウィッシュリストの更新のための項目を設け、この項目の選択指定に応じて送信する等、他の手法が採られてもよい。
【０１０６】
また、実施の形態では、携帯電話機１におけるウィッシュリストアプリケーション２３ｂがＪａｖａアプリケーションとされる場合を例に挙げたが、特にこれに限定されるものではない。また、このような携帯電話機１にインストールされるべきウィッシュリストアプリケーション２３ａとしては、所定のサーバ装置からダウンロードされるのではなく、予めインストールされるものとしてもよい。或いは、携帯電話機１が例えばカード型の半導体メモリ装置（メモリカード）についてのドライブが備えられる場合には、このようなメモリカードに記憶されたアプリケーションを取り込んでインストールするものとしてもよい。
また、同様にパーソナルコンピュータ２側にインストールされるべきウィッシュリストアプリケーション４０ａとしても、所定のサーバ装置からダウンロードされるのではなく、例えば図３に示したメディアドライブ３９を介して所要のメディアから取り込むものとしてもよい。
【０１０７】
また、図示による説明は省略するが、実際にはウィッシュリストのエントリは消去できるように構成しておく。
例えば、このような消去動作の具体例としては、図９（ａ）に示したようなリスト表示画面にて、カーソルＣＲの移動によって商品名の情報を選択した後、所定操作（例えば携帯電話機であれば通話終了ボタン等に対する操作）が行われることに応じてそのエントリを消去するようにすればよい。
或いは、起動画面において「エントリの消去」等の項目を設けておき、この項目が選択されることに応じて全エントリの一覧を表示する。その上で、カーソルＣＲの移動により選択指定されたエントリを消去する等といった手法が採られてもよい。
【図面の簡単な説明】
【０１０８】
【図１】本発明における実施の形態としての買い物支援システムの概要について示す図である。
【図２】実施の形態の携帯端末装置の内部構成例について示したブロック図である。
【図３】実施の形態の情報処理装置の内部構成例について示したブロック図である。
【図４】実施の形態のサーバ装置の内部構成例について示したブロック図である。
【図５】記憶媒体に対して記憶される商品情報について例示した図である。
【図６】実施の形態の買い物支援システムにおいて行われる動作として、主に携帯端末装置におけるウィッシュリストの作成時の動作について模式的に示した図である。
【図７】実施の形態の買い物支援システムにおいて行われる動作について模式的に示した図である。
【図８】ウィッシュリスト作成時における画面遷移の例を示した図である。
【図９】ウィッシュリスト閲覧時の画面遷移例を示した図である。
【図１０】実施の形態の買い物支援システムにおいて行われる動作について模式的に示した図である。
【図１１】実施の形態の買い物支援システムにおいて行われる処理動作として、主に携帯端末装置におけるウィッシュリスト作成時に対応して行われるべき処理動作について示したフローチャートである。
【図１２】実施の形態の買い物支援システムにおいて行われる処理動作について示したフローチャートである。
【符号の説明】
【０１０９】
１  携帯電話機、２  パーソナルコンピュータ、３  ウィッシュリスト管理サーバ、４  ネットワーク、５  ＲＦＩＤチップ、６  サーバ装置、１１  通信部、１２  音声処理部、１３  スピーカ、１４  マイクロフォン、１５  システムコントローラ、１６  リンガー、１６ａ  スピーカ、１７  バイブレータ、１８  表示部、１９  キー操作部、２０  リーダー部、２１  ＲＯＭ、２２  ＲＡＭ、２３  ＮＶ−ＲＡＭ、３１、５１  ＣＰＵ、３２、５２  バス、３３、５３  メモリ部、３４、５４  入力処理部、３５、５５  入力部、３６、５６  表示処理部、３７、５７  ディスプレイ、３８  ドライブ制御部、３９  メディアドライブ、４０、５８  ＨＤＤ、４１、５９  通信処理部、４２、６０  ネットワークインターフェイス、４３  オーディオデータ処理部、４４  スピーカ、２３ａ、４０ａ  ウィッシュリストアプリケーション、２３ｂ、４０ｂ、５８ｂ  ウィッシュリスト、５８ａ  管理プログラム、１００  買い物支援システム
【図１】
2005327077.tif 000003
【図２】
2005327077.tif 000004
【図３】
2005327077.tif 000005
【図４】
2005327077.tif 000006
【図５】
2005327077.tif 000007
【図６】
2005327077.tif 000008
【図７】
2005327077.tif 000009
【図８】
2005327077.tif 000010
【図９】
2005327077.tif 000011
【図１０】
2005327077.tif 000012
【図１１】
2005327077.tif 000013
【図１２】
2005327077.tif 000014